(57)【要約】【課題】融点が高い材料からなるガスケットを使用したコイン形電池では、電池内部の圧力が上昇し、急激なシール破れが発生する虞がある。【解決手段】正極１と負極２とをセパレータ３を介して対向配置した発電要素を非水電解液とともに正極ケース６と封口板５からなる外装体に収納し、前記電池ケースの内側に封口板５をガスケット４を介して組込み、正極ケース６の開放端を折曲加工して封止したコイン形電池において、前記正極ケース６として有底筒状でかつその筒状部の開放端面において中心角が１２０〜１６０°となる弧の高さが他の部分より低くなるように構成したものを用いたことを特徴とするコイン形電池。【選択図】図１
2010186667.tif 000002
【特許請求の範囲】
【請求項１】
正極と負極とをセパレータを介して対向配置した発電要素を非水電解液とともに正極ケースと封口板からなる外装体に収納し、前記電池ケースの内側に封口板をガスケットを介して組込み、正極ケースの開放端を折曲加工して封止したコイン形電池において、前記正極ケースとして有底筒状でかつその筒状部の開放端面において中心角が１２０〜１６０°となる弧の高さが他の部分より低くなるように構成したものを用いたことを特徴とするコイン形電池。
【請求項２】
前記正極ケースの開放端面の高さの低い部分として、その低い部分の中間が最も低く他は直線状に徐々に高くなる構成とした請求項１記載のコイン形電池。
【請求項３】
前記正極ケースの開放端面の高さの低い部分として、その低い部分の中間が最も低く他は曲線状に徐々に高くなる構成とした請求項１記載のコイン形電池。
【請求項４】
前記正極ケースの開放端面の高さの低い部分として、その低い部分の中間が最も低く他は段階的に高くなる構成とした請求項１記載のコイン形電池。
【請求項５】
前記高さの低い部分の中間の最も低い部分に一定の幅をもった構成とした請求項２〜４のいずれかひとつに記載のコイン形電池。
【発明の詳細な説明】
【技術分野】
【０００１】
本発明は、コイン形電池の構成に関するものである。
【背景技術】
【０００２】
近年において、高出力、高エネルギー密度の電池として、非水電解液を用いた電池であるリチウム電池やリチウム二次電池が多くの電子機器などの電源として用いられている。これらの非水電解液を用いた電池は、電解液が水溶液である電池に比べて放電電圧が高く、低温特性や長期保存特性に優れており、様々な形状のものが実用化されている。特に、コイン形状を有したコイン形電池は、小型かつ軽量であり、またその構成部品が少なく製造が容易であることから大量生産されている。
【０００３】
コイン形電池には一次電池と二次電池があり、一次電池は主に正極をマンガン酸化物、負極をリチウム金属とした二酸化マンガンリチウム電池が多くの電子機器で使用されている。また、近年では高温下で使われる車載用途にも使用され始めその分野は広がってきている。
【０００４】
一方、二次電池では、主に正極にマンガン酸リチウムを用い、負極にリチウムアルミニウム合金を用いたマンガンリチウム二次電池が小型電子機器のメモリーバックアップ用電源として使用されている。しかしながら、負極にリチウムアルミニウム合金を用いた場合、放電容量に対し１００％深度まで放電する充放電サイクルを行うと、負極の表面が脆化し導電性が取れなくなるため、数十サイクルで放電容量が得られなくなり主電源用には向いていない。
【０００５】
そこで、１００サイクル以上の充放電サイクルが必要とされる主電源用として、正極にマンガン酸リチウム、コバルト酸リチウム、ニッケル酸リチウムなどを用い、負極にチタン酸リチウム、シリコン酸化物、黒鉛などを用いた電池が多く開発されている。これらの電池では、負極活物質構造の層間にリチウムが脱挿入しやすく劣化が少ないため放電容量に対し１００％深度まで放電する充放電サイクルを行っても、１００サイクル以上放電容量が得られる。
【０００６】
特に、正極にコバルト酸リチウム、負極に黒鉛を用いたリチウムイオン二次電池は携帯電話やノートパソコンなどを代表とする多くの電子機器の主電源として使用されている。これらの電源では高容量だけでなく、急速充電や高負荷放電も求められている。そこで反応性を高めるために正極と負極を捲回して対抗面積を増やす構造をしている。
【０００７】
このような電極を捲回する構造の電池は主に円筒形や角形に用いられているが、コイン形でもその捲回式の電極構造を有した電池が開発されている（特許文献１参照）。この電池では高負荷放電が可能であるので、従来のコイン形電池に比べ高出力を得ることができる。
【０００８】
これらの主電源に用いられる電池では、接続された回路の異常により過充電状態に陥った場合や、使用環境が異常な高温状態になった場合、非水電解液の分解が促進されガスが発生し電池内部の圧力が異常上昇する。円筒形や角形では電池内部の圧力が上昇し電池が急激なシール破れが発生することを防止する機構として防爆弁が装備されている。しかしながらコイン形電池は構造が単純であり防爆弁を設けることが困難であるため、電池内部の内圧が上昇し続けた後、封止が維持できる圧力を越えると急激なシール破れが発生する。この急激なシール破れ時には、電池の構成部品である正極ケース、封口板、ガスケット
、正極、負極、セパレータ、非水電解液が飛散し、危険であるばかりでなく、コイン形電池が装着された電子機器を破損あるいは汚染することになる。
【０００９】
そこで、特許文献１では、正極ケースに切り込みを入れることによって異常な高温状態で使用された場合に、ガスケットが溶融して切れ込み部分に流れ込みパッキング性が低下することで、電池内部の圧力上昇を抑え急激なシール破れを防止する方法を提案している。
【００１０】
一方、最近では電池の使用環境は従来よりも厳しくなっており、１００℃以上の高温下、あるいは湿度環境８０％以上の高湿度下での長期使用も求められている。
【００１１】
従来、ガスケット材には安価で汎用であるポリプロピレンが主に用いられているが、前述した厳しい環境下での使用は、ポリプロピレンのガスケットが変形してパッキング性が低下し非水電解液の揮発や、水分の電池内部への透過が起こりやすいため、電池特性が低下することが分かっている。これらを防止するためにガスケット材に耐熱性などに優れている高機能高分子材料を用いているコイン形電池が多く開発されている。
【００１２】
これらのガスケット材を用いた特許文献１に示すような電極を捲回した構造を持つコイン形電池は、高出力で、かつ、厳しい環境下でも使用可能な電池である。
【００１３】
しかしながら、特許文献１に示す構造では、ガスケットが耐熱性に優れるため異常高温下で溶融せず、電池の内圧が上昇し続け急激なシール破れが発生し危険である。
【特許文献１】特開２００３−４５３７９号公報
【発明の開示】
【発明が解決しようとする課題】
【００１４】
前述したように、融点が高い材料からなるガスケットを使用したコイン形電池では、正極ケースに切り込みを入れるだけでは、電池内部の圧力が上昇し続け急激なシール破れが発生し危険である。
【００１５】
本発明は上記課題を解決するために、正極ケースの開放端面において中心角が１２０〜１６０°となる弧の高さが他の部分より低くなるように構成することで急激なシール破れを防止することのできるコイン形電池を提供することを目的とするものである。
【課題を解決するための手段】
【００１６】
前記課題を解決するために本発明は、正極と負極とをセパレータを介して対向配置した発電要素を非水電解液とともに正極ケースと封口板からなる外装体に収納し、上記電池ケースの内側に封口板をガスケットを介して組込み正極ケースの開放端を折曲加工して封止したコイン形電池において、前記正極ケースとして有底筒状でかつその筒状部の開放端面の１２０〜１６０°の範囲の高さが他の部分より低くなるように構成したものを用いたことを特徴とするコイン形電池を提案するものである。
【発明の効果】
【００１７】
本発明の正極ケースを用いれば、融点が高い材料からなるガスケットを使用したコイン形電池であっても、電池内部の圧力が上昇した場合正極ケースの開口部の加工開始部分で封止を保持しつつ、正極ケース高さの低い範囲で封口板が浮き上がってパッキング性が低下し、電池内圧を開放でき急激なシール破れを防止できる安全性の高いコイン形電池を提供することができる。
【発明を実施するための最良の形態】
【００１８】
本発明による第１の発明は、正極と負極とをセパレータを介して対向配置した発電要素を非水電解液とともに正極ケースと封口板からなる外装体に収納し、上記電池ケースの内側に封口板をガスケットを介して組込み正極ケースの開放端を折曲加工して封止したコイン形電池において、その正極ケースは有底筒状でかつその筒状部の開放端面において中心角が１２０〜１６０°となる弧の高さが他の部分より低くなるように構成したものを用いたことを特徴とするコイン形電池である。この構成により、電池内部の圧力が上昇した際に正極ケースの開口部の加工開始部分で封止を保持しつつ、正極ケースの高さが低い範囲で封口板が浮き上がることでパッキング性が低下し、電池内部の圧力を開放できるため急激なシール破れを防止でき電池の構成部品が飛散することなく、安全性の高いコイン形電池を提供できる。
【００１９】
本発明による第２の発明は、第１の発明において、正極ケースの開放端面の高さが低い部分の中間が最も低く他は直線状に徐々に高くなる構成としたコイン形電池である。この正極ケースは正極ケースの開口端面が同じ高さのものを直線状に追加工することで作製される。この構成により、折曲加工による封止が直線状に変化するので、電池内部の圧力が上昇した際に電池内部の圧力の開放は一定の圧力割合で開放される。そして最終的には正極ケースの開口部の加工開始部分で封止を保持しつつ、正極ケースの高さの低い範囲で封口板が浮き上がることでパッキング性が低下し、電池内部の圧力を開放できるため急激なシール破れを防止でき電池の構成部品が飛散することなく、安全性の高いコイン形電池を提供できる。
【００２０】
本発明による第３の発明は、第１の発明において、正極ケースの開放端面の高さの低い部分の中間が最も低く他は曲線状に徐々に高くなる構成としたコイン形電池である。この正極ケースは楕円状の金属板を凹状に絞り込んで作製される。この構成により、折曲加工による封止が曲線状に変化するので、電池内部の圧力が上昇した際に電池内部の圧力の開放は、正極ケースの高さを加工した曲線部分の変曲点において最も高い圧力割合で開放される。そして最終的には正極ケースの開口部の加工開始部分で封止を保持しつつ、正極ケース高さが低い範囲で封口板が浮き上がることでパッキング性が低下し、電池内部の圧力を開放できるため急激なシール破れを防止でき電池の構成部品が飛散することなく、安全性の高いコイン形電池を提供できる。
【００２１】
本発明による第４の発明は、第１の発明において、正極ケースの開放端面の高さの低い部分の中間が最も低く他は段階的に高くなる構成としたコイン形電池である。この正極ケースは正極ケースの開口端面が同じ高さのものを段階的に高くなるようにレーザー加工などで追加工することで作製される。この構成により、折曲加工による封止が段階的に変化するので、電池内部の圧力が上昇した際に電池内部の圧力の開放は、高さの低い部分の中間が最も圧力割合が高く、高さが変わる部分で段階的に圧力割合が低くなるように開放される。そして最終的には正極ケースの開口部の加工開始部分で封止を保持しつつ、正極ケースの高さの低い範囲で封口板が浮き上がることでパッキング性が低下し、電池内部の圧力を開放できるため急激なシール破れを防止でき電池の構成部品が飛散することなく、安全性の高いコイン形電池を提供できる。
【００２２】
本発明による第５の発明は、第２〜４の発明において、高さの低い部分の中間の最も低い部分に一定の幅をもった構成とするコイン形電池である。この正極ケースは第２〜４の発明で作成した後に最も低い部分に一定の幅を持つようにレーザー加工などで追加工することで作製される。この構成により、最も高さの低い部分で最も圧力割合が高く、高さが変わる部分で圧力割合が低くなるように開放される。そして最終的には正極ケースの開口部の加工開始部分で封止を保持しつつ、正極ケース高さが低い範囲で封口板が浮き上がることでパッキング性が低下し、電池内部の圧力を開放できるため急激なシール破れを防止でき電池の構成部品が飛散することなく、安全性の高いコイン形電池を提供できる。
【００２３】
以下、本発明の実施の形態について説明する。なお、以下に示す実施の形態は本発明を具現化した一例であって、本発明の技術的範囲を限定するものではない。
【００２４】
図１は、本発明のコイン形電池の断面図である。
【００２５】
本発明に用いる非水電解液を用いたコイン形電池は、負極側集電体７を配置した封口板５にガスケット４を一体化した内部に負極２を設置した後にセパレータ３を挿入し、このセパレータ３に非水電解液を含浸した後正極１を設置し、正極側集電体８を配置した正極ケース６を嵌合後、折曲加工して封止することで作製される。
【００２６】
正極ケース６は、ステンレス鋼、アルミニウム鋼などが用いられる。特に、正極活物質にコバルト酸リチウム、ニッケル酸リチウム、マンガン酸リチウムを用いるときには、高電位で高耐食性であるアルミニウム鋼が好ましい。この正極ケース６は、図２（Ａ）〜（Ｄ）に示すような形状のものが用いられ、これらは次のように作製できる。正極ケース６Ａは、有底筒状である正極ケース６の筒状部の開放端面を加工する範囲が中心角で１２０〜１６０°になる部分を研削盤で直線的にその中間部の高さが他より低くなるように研削して作製する。正極ケース６Ｂは、有底筒状である正極ケース６の筒状部の開放端面を加工する範囲が中心角で１２０〜１６０°になる部分を研削盤で曲線的にその中間部の高さが他より低くなるように研削して作製する。正極ケース６Ｃは、有底筒状である正極ケース６の筒状部の開放端面を加工する範囲が中心角で１２０〜１６０°になる部分をレーザー加工によって段階的に高さが低くなるように作製する。正極ケース６Ｄは、有底筒状である正極ケース６の筒状部の開放端面を加工する範囲が中心角で１２０〜１６０°になる部分をレーザー加工によって低い部分に一定の幅を持つように作製する。
【００２７】
封口板５は、ステンレス鋼であればいかなるものでも良く、負極２にリチウムとアルミニウムの合金を使用する場合には、内面にアルミニウムを配置した構造のステンレス鋼でも良い。
【００２８】
負極２は、リチウムの吸蔵・放出が可能である層状構造あるいは結晶構造を持つ金属酸化物であればいかなるものでも良い。特に、主電源として使用する場合には、リチウムのインターカレーションに適している黒鉛、チタン酸リチウム、酸化シリコンなどが良い。また、金属合金系であれば、リチウムとアルミニウムの合金も挙げられる。
【００２９】
非水電解液は、非水溶媒液に電解質を溶かしたものであればいかなるものでも良い。非水溶媒液としては、プロピレンカーボネート、エチレンカーボネート、ブチレンカーボネート、ジエチルカーボネート、ジメチルカーボネート、エチルメチルカーボネート、ジメトキシエタン、ガンマーブチルラクトンなどが挙げられる。電解質としては、ＬｉＰＦ6、ＬｉＢＦ4、ＬｉＮＣＦ3ＳＯ3、ＬｉＮ（ＣＦ3ＳＯ2）2、ＬｉＮ（Ｃ2Ｆ5ＳＯ2）2、ＬｉＣｌＯ4などが挙げられる。
【００３０】
正極１は、リチウムの吸蔵・放出が可能である結晶構造を持つ金属酸化物であればいかなるものでも良く、コバルト酸リチウム、マンガン酸リチウム、ニッケル酸リチウム、
Ｖ2Ｏ5、Ｎｂ2Ｏ5などが挙げられる。
【００３１】
ガスケット４は、融点が高い耐熱性に優れたＰＦＡ、ＰＴＦＥなどのフッ素を含有した高分子材料や、ＰＥＥＫ、ＰＰＳなどが挙げられる。
【００３２】
セパレータ３は、負極２と正極１とを絶縁するものであればいかなるものでも良く、ポリプロピレン、ポリエチレン、ＰＰＳなどが挙げられる。
【００３３】
負極側集電体７は、負極２と封口板５との集電性を高めるものであればいかなるものでも良く、カーボン薄膜層などが挙げられる。
【００３４】
正極側集電体８は、正極１と正極ケース６との集電性を高めるものであればいかなるものでも良く、カーボン薄膜層などが挙げられる。
【実施例１】
【００３５】
以下、本発明を実施例に基づいて具体的に説明する。
【００３６】
（実施例１）
まず、直径３０ｍｍ、高さ３．０ｍｍである有底筒状である正極ケース６の筒状部の開放端面を、加工する範囲が中心角で１２０°になる部分を底面から開放端面までの距離が最も低い部分が２．４ｍｍとなるように直線状に研削盤でカットした図２（Ａ）のような正極ケース６Ａを作製する。そしてカーボンペーストからなる正極側集電体８を底面に塗布し、熱風乾燥し作製した。
【００３７】
この作製した正極ケース６Ａを用いて、図１に示すようなコイン形電池を作製した。
【００３８】
本実施例１のコイン形電池は、正極ケース６Ａと、ガスケット４を一体化した封口板５とを嵌合し、折曲加工して封止することで密閉している。この密閉空間内には、正極側集電体８、正極１、セパレータ３、負極２、負極側集電体７が収納されている。
【００３９】
ガスケット４は、耐熱性に優れるＰＦＡを用いた。
【００４０】
封口板５は、正極ケース６と同様にカーボンペーストからなる負極側集電体７を底面に塗布し、熱風乾燥し作製した。
【００４１】
正極１は、正極活物質として粉末状のコバルト酸リチウムＬｉＣｏＯ2を９０質量部と、導電材として粉末状のカーボンブラックを５質量部と、結着剤として水にディスパージョンしたポリテトラフルオロエチレンを５質量部とを練合し、乾燥した後、正極合剤とした。この正極合剤を１２５０ｍｇ秤量し、直径２２ｍｍ、厚み１．２ｍｍのペレット状に加圧成型した後、２５０℃にて２４時間熱風乾燥し正極１を作製した。
【００４２】
負極２は、負極活物質として層状構造を有する粉末状の黒鉛を９５質量部と、結着剤としてＮＭＰにディスパージョンしたＰＶＤＦを５質量部とを練合し、乾燥した後、負極合剤とした。この負極合剤を１０００ｍｇ秤量し、直径２４ｍｍ、厚み１．２ｍｍのペレット状に加圧成型した後、１５０℃にて２４時間熱風乾燥し負極２を作製した。
【００４３】
この負極２を内部に設置した封口板５の内部にポリプロピレンからなるセパレータ３を挿入する。このセパレータ３に、エチレンカーボネートとエチルメチルカーボネートを１：３の割合で混合した溶媒に、ＬｉＰＦ6を１ｍｏｌ／ｌの濃度で溶解した非水電解液を含浸する。その後、正極１を設置し、正極ケース６を嵌合後、封口し、直径３０ｍｍ、厚み３．２ｍｍの電池Ａを作製した。
【００４４】
（実施例２）
直径３０ｍｍ、高さ３．０ｍｍである有底筒状である正極ケース６の筒状部の開放端面を、加工する範囲が中心角で１６０°になる部分を底面から最も低い部分が２．４ｍｍとなるように直線状に研削盤でカットし、図２（Ａ）のような正極ケース６Ａを作製すること以外は実施例１と同様にして電池Ｂを作製した。
【００４５】
（比較例１）
直径３０ｍｍ、高さ３．０ｍｍである有底筒状である正極ケース６の筒状部の開放端面を、加工する範囲が中心角で９０°になる部分を底面から最も低い部分が２．４ｍｍとなるように直線状に研削盤でカットし、図２（Ａ）のような正極ケース６Ａを作製すること以外は実施例１と同様にして電池Ｃを作製した。
【００４６】
（比較例２）
直径３０ｍｍ、高さ３．０ｍｍである有底筒状である正極ケース６の筒状部の開放端面を、加工する範囲が中心角で１８０°になる部分を底面から最も低い部分が２．４ｍｍとなるように直線状に研削盤でカットし、図２（Ａ）のような正極ケース６Ａを作製すること以外は実施例１と同様にして電池Ｄを作製した。
【００４７】
以上のように作製した電池Ａ〜Ｄをそれぞれ１０個作製し、２０ｍＡ−４．２Ｖ−７２ｈのＣＣＣＶで充電し、その後過充電試験を行った。過充電試験の条件は、２０ｍＡで行い、急激なシール破れの有無を確認し、試験結果を（表１）に示す。
【００４８】
【表１】
2010186667.tif 000003
【００４９】
その結果、正極ケースの加工する範囲を中心角で１２０および１６０°になるように直線状にカットした本発明の電池Ａ、Ｂでは、いずれも過充電試験後に電池が急激なシール破れが発生することなく試験後の電池は貝が口を開いたように開口していた。一方、正極ケースの加工する範囲を中心角で９０°になるようにカットした電池Ｃ、正極ケースの加工する範囲を中心角で１８０°になるようにカットした電池Ｄは過充電試験中に急激なシール破れが発生してしまい、内部構成物が飛散してしまった。
【００５０】
このことは、過充電試験で電池内部の圧力が上昇すると、正極ケースをカットした部分の封止が弱いため、その部分から電池内部の圧力を開放するようになる。その正極ケースの加工する範囲が、中心角で１２０〜１６０°の場合は開口部の加工開始部分で封止を保持しつつ、正極ケースの高さが低い範囲で封口板が浮き上がることでパッキング性が低下し、電池内部の圧力を開放し急激なシール破れを防止する。一方、正極ケースの加工する範囲が中心角で９０°の場合は、正極ケースをカットした部分以外の通常の折曲加工して封止している範囲が広いため電池内部の圧力が高くなり、急激なシール破れ時の破壊力が大き過ぎるため急激なシール破れが発生してしまう。また、正極ケースの加工する範囲が、中心角で１８０°の場合は封止が弱い範囲が広いため電池内部の圧力上昇により封止が保持できず急激なシール破れが発生してしまう。
【００５１】
以上のことから、正極ケースの開放端面の高さを１２０〜１６０°の範囲で低くしたものを用いたコイン形電池では、電池内部の圧力が上昇したのち正極ケースの開口部の加工開始部分で封止を保持しつつ、正極ケースの高さが低い範囲で封口板が浮き上がることでパッキング性が低下し、電池内部の圧力を開放でき急激なシール破れを防止できる安全性の高いコイン形電池を提供できる。
【００５２】
続いて、正極ケースの加工する範囲を中心角で１２０〜１６０°とし、そのカット部分の形状について検討をしてみた。
【００５３】
（実施例３）
直径３０ｍｍ、高さ３．０ｍｍである有底筒状である正極ケース６の筒状部の開放端面を、加工する範囲が中心角で１２０°になる部分を底面から最も低い部分が２．４ｍｍとなるように曲線状に研削盤でカットし、図２（Ｂ）のような正極ケース６Ｂを作製すること以外は実施例１と同様にして電池Ｅを作製した。
【００５４】
（実施例４）
直径３０ｍｍ、高さ３．０ｍｍである有底筒状である正極ケース６の筒状部の開放端面を、加工する範囲が中心角で１６０°になる部分を底面から最も低い部分が２．４ｍｍとなるように、曲線状に研削盤でカットし、図２（Ｂ）のようなケース６Ｂを作製すること以外は実施例１と同様にして電池Ｆを作製した。
【００５５】
（実施例５）
直径３０ｍｍ、高さ３．０ｍｍである有底筒状である正極ケース６の筒状部の開放端面を、加工する範囲が中心角で１２０°になる部分を底面から最も低い部分が２．４ｍｍとなるように正極ケースの開口端面が同じ高さのものをレーザー加工で追加工すること段階的に高くなるようにした図２（Ｃ）のような正極ケース６Ｃを作製すること以外は実施例１と同様にして電池Ｇを作製した。
【００５６】
（実施例６）
直径３０ｍｍ、高さ３．０ｍｍである有底筒状である正極ケース６の筒状部の開放端面を、加工する範囲が中心角で１６０°になる部分を底面から最も低い部分が２．４ｍｍとなるように正極ケースの開口端面が同じ高さのものをレーザー加工で追加工すること段階的に高くなるようにした図２（Ｃ）のような正極ケース６Ｃを作製すること以外は実施例１と同様にして電池Ｈを作製した。
【００５７】
（実施例７）
直径３０ｍｍ、高さ３．０ｍｍである有底筒状である正極ケース６の筒状部の開放端面を、加工する範囲が中心角で１２０°になる部分を底面から最も低い部分が２．４ｍｍで凹状にレーザー加工によってカットし、図２（Ｄ）のような正極ケース６Ｄを作製すること以外は実施例１と同様にして電池Ｉを作製した。
【００５８】
（実施例８）
直径３０ｍｍ、高さ３．０ｍｍである有底筒状である正極ケース６の筒状部の開放端面を、加工する範囲が中心角で１６０°になる部分を底面から最も低い部分が２．４ｍｍで凹状にレーザー加工によってカットし、図２（Ｄ）のような正極ケース６Ｄを作製すること以外は実施例１と同様にして電池Ｊを作製した。
【００５９】
以上のように作製した電池Ｅ〜Ｊをそれぞれ１０個作製し、２０ｍＡ−４．２Ｖ−７２ｈのＣＣＣＶで充電し、その後過充電試験を行った。過充電試験の条件は、２０ｍＡで行い、急激なシール破れの有無を確認し、試験結果を（表２）に示す。
【００６０】
【表２】
2010186667.tif 000004
【００６１】
その結果、正極ケースの加工形状を変えた電池Ｅ〜Ｊは、どれも急激なシール破れが発生せず構成物は飛散しなかった。どの形状でも試験後の電池は開口部の加工開始部分で封止を保持しつつ、正極ケースの高さが低い範囲で封口板が浮き上がることでパッキング性が低下し、電池内部の圧力を開放し急激なシール破れを防止していた。
【産業上の利用可能性】
【００６２】
本発明にかかる正極ケースの形状であれば、電池内部の圧力が上昇し急激なシール破れが発生する際に、構成物が飛散することなく、安全性の高いコイン形電池を提供できる。
【図面の簡単な説明】
【００６３】
【図１】本発明の実施例に係るコイン形電池の断面図
【図２】（Ａ）〜（Ｄ）同電池用正極ケースの概略図
【符号の説明】
【００６４】
１    正極
２    負極
３    セパレータ
４    ガスケット
５    封口板
６    正極ケース
７    負極側集電体
８    正極側集電体
【図１】
2010186667.tif 000005
【図２】
2010186667.tif 000006